(57)【要約】【課題】導体である炭を用いたアース接続の効果に着目し、高層住宅等の居住空間において不眠、流産等の体調不良の原因と思われる絶縁障害を除去することを目的とする。【解決手段】高層住宅の地中に炭埋設部１を設け、高層住宅の柱３、壁４、天井８、床６、梁等の構成部材中に炭粉末を混入し、該構成部材と炭埋設部１とをアース線２で接続する高層住宅等における絶縁障害の除去システム。【選択図】      図１
2004293184.tif 000002
【特許請求の範囲】
【請求項１】
地中に炭埋設部を設け、絶縁環境の建物の構成部材中に炭粉末を混入し、該構成部材と上記炭埋設部とをアース線で接続することを特徴とする高層住宅等における絶縁障害の除去システム。
【請求項２】
炭埋設部は塊状の炭を埋設して構成される請求項１記載の除去システム。
【請求項３】
構成部材が居住空間内の壁乃至壁下地、床乃至床下地、柱である請求項１記載の除去システム。
【請求項４】
構成部材がベランダ乃至屋上の植物栽培土壌を含む請求項１記載の除去システム。
【発明の詳細な説明】
【０００１】
【発明が属する技術分野】
この発明は、高層住宅等の絶縁障害の除去システムに関するものである。
【０００２】
【従来の技術】
例えば、絶縁環境において生存率の激減或は生体異変などの多くの動物実験例に見られるように、従来絶縁環境は人間を始めとした動植物の生活環境に悪影響を及ぼすことが知られている。
【０００３】
【発明が解決しようとする課題】
一方、最近の住居建物の高層化は目覚しいが、このような高層住宅の居住空間においては不眠、流産等の体調不良の原因と思われている絶縁障害が問題となっているが、今迄これら高層住宅の絶縁障害に対する対策は何等採られていない。
【０００４】
例えば、従来手術室の床はアース接地することは静電気発生防止のためであり、絶縁障害を除去するためではない。
【０００５】
また、避雷針から建物の鉄筋、鉄骨を通して地中へ接地することが行われているが、これは雷の電流を逃すためであり、絶縁障害を除去するためではない。
【０００６】
これに対して、導体である炭にアース接続するとその炭がイオン力を増し、常時非絶縁環境に保たれることが実験により判明し、例えばアース炭マット上に幼児を寝かせることにより幼児の体温が３５．５℃から３６．３℃に上昇し、体内の活性化が実証されている。
【０００７】
また、子マウスについて絶縁環境にあるボックスと内部に炭を敷いてアース接続したボックス内での生育試験ではアース接続した状態での生育試験が絶縁環境での生育試験に比べて著しい体重の増加が見られた。
【０００８】
この他導体である炭を用いてアース接続して体内電位を地電位に準ずるようにして各種の体調不良が解消されることが本願発明者の実験により判明した。
【０００９】
そこで、本願発明者はこのような導体である炭を用いたアース接続の効果に着目し、高層住宅等の居住空間において不眠、流産等の体調不良の原因と思われる絶縁障害を除去することを目的とするものである。
【００１０】
【課題を解決するための手段】
この発明は、上記実情に鑑み、地中に炭埋設部を設け、絶縁環境の建物の構成部材中に炭粉末を混入し、該構成部材と上記炭埋設部とをアース線で接続する高層住宅等における絶縁障害の除去システムを提案するものである。
【００１１】
【発明の実施の形態】
即ち、この発明では高層住宅等の絶縁環境の建物の構成部材、例えば建物の床、壁、天井、柱、梁等に炭粉末を混入し、導電性を持たせると共に、これらの構成部材をアース線を介して地中に設けられた炭埋設部に接続されているため、これらの建物の絶縁障害は除去される。
【００１２】
また、構成部材が居住空間内の壁乃至壁下地、床乃至床下地、柱であれば、居住空間内の体調不良の原因と思われる絶縁障害が除去されて快適な日常生活を送ることができる。
【００１３】
更に、高層住宅のベランダ乃至屋上等に設けられている植物栽培領域にも絶縁障害の影響により植物生長阻害が見られるが、これらの植物栽培土壌中にも炭粉末を混入してアース線を介して地中に設けられた炭埋設部に接続すれば、植物栽培土壌の活性化を維持できる。
【００１４】
なお、この発明によれば以上の構成により体調不良の原因と思われる絶縁障害が除去されるばかりでなく、静電気防止、浮粒物質防止、温熱省エネルギー効果、脱臭、防カビ、防虫、マイナスイオン効果、ＶＯＣ（揮発性化学物質）の脱気等の奏することができる。
【００１５】
この発明において床、壁、天井、柱、梁等の建物の構成部材に炭粉末を混入する手段としては、これら構成部材の製造時にコンクリートに炭粉末を混入してもよく、これら構成部材の表面を炭粉末入りのモルタル或は塗装材で塗装してもよく、或は床、壁、天井の下地材として炭粉末入りのボードを使用してもよい。
【００１６】
また、この発明において炭埋設部には塊状の炭を使用すれば、塊状の炭の周りに地電流が増流し、これにより地磁気の高まりを誘発し、蓄電性を高め、地電位に準ずる状態にすることができる。
【００１７】
更に、この発明においてアース線は導電性の金属線を使用することができるが、アース効果を増進させるためには良導炭を筒状にしてその中に導線を挿入したものを使用してもよい。
【００１８】
また、上述のように内部に炭粉末を混入した構成部材とアース線との接続はアース用金具を介して行うこともできるが、炭粉末を混入した構成部材の内部にアース線を配線するようにしてもよい。
【００１９】
【実施例】
以下、この発明を図示の実施例に基づいて詳細に説明すると、図１は高層住宅にこの発明のシステムを適用した実施例を示すものであり、１は高層住宅下の地中に塊状の炭を埋設して構成された炭埋設部、２は銅線等の良導体で構成されたメインアース帯で、メインアース帯２はこの実施例では炭埋設部１から高層住宅の屋上まで延設されている。
【００２０】
３は内部に炭粉末を混入した鉄骨及び鉄筋コンクリート柱、４は内部に炭粉末を混入した鉄筋コンクリート壁、５は内部に炭粉末を混入した鉄筋コンクリート床、６は内部に炭粉末を混入したモルタル類で構成された高層住宅の居住空間内の床下地、７は内部に炭粉末を混入したボード材で構成された高層住宅の居住空間内の壁下地、８は内部に炭粉末を混入したボード材で構成され高層住宅の居住空間内の天井下地、９は内部に炭粉末を混入して構成された高層住宅の屋上に設けられた植物栽培土壌、１０はメインアース帯２と鉄骨及び鉄筋コンクリート柱３、壁４、床５、床下地６、壁下地７、天井下地８を接続するアース結線である。
【００２１】
次に、炭粉末を混入した屋内、屋外の構成部材とアース結線１０との接続について述べると、鉄骨コンクリート柱３については図３（Ａ）に示すように鉄骨ａに直接接続すれば、鉄骨ａが導体となるが、鉄筋コンクリート柱３については図３（Ｂ）に示すようにコンクリート内にアース用導線１１を配設し、これにアース結線１０を接続すればよい。
【００２２】
また、コンクリート壁４、コンクリート床５については、図４、図５に示すようにコンクリート内にアース用導線１１を配設し、これにアース結線１０を接続すればよい。
【００２３】
更に、床下地６、壁下地７、天井下地８については、図６に示すように炭粉末を混入したモルタル類６の内部にアース用導線１１を配設し、これにアース結線１０を接続してもよいが、図７に示すように炭粉末を混入したボード材７の基端部にアース用金具１２を取付け、これにアース結線１０を接続するようにしてもよい。
【００２４】
この発明では高層住宅の鉄骨及び鉄筋コンクリート柱３、壁４、床５、床下地６、壁下地７、天井下地８等の屋内、屋外の構成部材には炭粉末を混入し、導電性を持たせると共に、これらの構成部材をアース結線１０、メインアース帯２を介して地中に設けられた炭埋設部１に接続されているため、これらの建物の居住空間内の体調不良の原因となる絶縁障害は除去される。
【００２５】
図２に示される居住空間においては床下地６、壁下地７、天井下地８はアース結線１０、メインアース帯２を介して地中に設けられた炭埋設部１に接続されているため、居住空間内は絶縁障害がなく、快適な日常生活を送ることができる。
【００２６】
また、この実施例では屋上に設けられた植物栽培領域の土壌９にも炭粉末を混入し、アース結線１０、メインアース帯２を介して地中に設けられた炭埋設部１に接続してあるため、土壌９の活性化が維持でき、植物の成長が促進される。
【００２７】
更に、この実施例では炭埋設部１には塊状の炭を埋設して地電位に準ずる状態にし、これと高層住宅の各階がメインアース帯２で接続されているため、各階の居住空間を地電位に準ずる状態に置かれ、したがって体調不良等の解消を図ることができる。
【００２８】
【発明の効果】
以上要するに、この発明によれば高層住宅等の絶縁環境の建物の構成部材、例えば建物の床、壁、天井、柱、梁等に炭粉末を混入し、導電性を持たせると共に、これらの構成部材をアース線を介して地中に設けられた炭埋設部に接続されているため、居住空間内の体調不良の原因と思われる絶縁障害が除去されて快適な日常生活を送ることができる。
【図面の簡単な説明】
【図１】この発明の一実施例を示す断面図
【図２】同上の実施例における居住空間内の断面図
【図３】同上の実施例においてアース結線を鉄骨コンクリート柱に接続する場合の平面図（Ａ）、鉄筋コンクリート柱に接続する場合の平面図
【図４】同上の実施例においてアース結線を鉄筋コンクリート壁に接続する場合の断面図
【図５】同上の実施例においてアース結線を鉄筋コンクリート床に接続する場合の断面図
【図６】同上の実施例においてアース結線を床下地に接続する場合の断面図
【図７】同上の実施例においてアース結線を天井乃至壁下地材に接続する場合の斜視図
【符号の説明】
１は炭埋設部
２はメインアース帯
３は内部に炭粉末を混入した鉄骨コンクリート柱
４は内部に炭粉末を混入した鉄筋コンクリート壁
５は内部に炭粉末を混入した鉄筋コンクリート床
６は内部に炭粉末を混入したモルタル類で構成された高層住宅の居住空間内の床下地
７は内部に炭粉末を混入したボード材で構成された高層住宅の居住空間内の壁下地
８は内部に炭粉末を混入したボード材で構成され高層住宅の居住空間内の天井下地
９は内部に炭粉末を混入して構成された高層住宅の屋上に設けられた植物栽培土壌
１０はアース結線
１１はアース用導線
１２はアース用金具
【図１】
2004293184.tif 000003
【図２】
2004293184.tif 000004
【図３】
2004293184.tif 000005
【図４】
2004293184.tif 000006
【図５】
2004293184.tif 000007
【図６】
2004293184.tif 000008
【図７】
2004293184.tif 000009